(57)【要約】【課題】ドアホン親機とドアホンサブ親機間の無線通信において、通信状態が悪化し、ドアホン親機とドアホンサブ親機間の転送レートの低下や、ノイズの影響により音声信号や画像信号の品質が低下する問題点に対応する。【解決手段】テレビドアホンシステムの親機とサブ親機の間でＢｌｕｅｔｏｏｔｈ（登録商標）等を用いた無線通信を行い、親機側に、画像信号を一時格納手段と、親機とサブ親機相互間の電界強度の変化を検知する電界強度変化検知手段とフレームレートを制御する手段を備え、サブ親機側に、画像伸張を行うサブ親機画像処理部を備えて、親機側において、前記無線通信での電界強度の変化の検知に応じてドアホン子機からの画像信号を、フレームレートを適宜制御しながら、親機側に備えられた画像信号メモリ手段に自動的に格納する無線通信システム。【選択図】図１
2007142808.tif 000002
【特許請求の範囲】
【請求項１】
テレビドアホンシステムの親機とサブ親機の間で無線通信を行う無線通信システムにおいて、
前記親機側に、画像信号のデジタル変換および画像圧縮を行う親機画像処理部と、前記画像信号を一時格納する画像信号メモリ手段と、前記親機と前記サブ親機相互間の無線通信での電界強度の変化を検知する電界強度変化検知手段と、ドアホン子機からの前記画像信号を前記サブ親機側に送信する際のフレームレートを制御する画像転送速度制御手段とを備え、
前記サブ親機側に、画像伸張を行うサブ親機画像処理部を備え、
前記親機側において、前記無線通信での電界強度の変化の検知に応じて、前記画像信号の前記フレームレートを適宜制御しながら、前記親機側から前記サブ親機側に送信する前記ドアホン子機からの前記画像信号を、前記親機側の前記画像信号メモリ手段に自動的に格納することを特徴とする無線通信システム。
【請求項２】
前記親機と前記サブ親機の間では、２．４ＧＨｚ帯域の電波を用いた周波数ホッピング・スペクトル拡散方式の無線通信手段により無線通信を行うことを特徴とする請求項１に記載の無線通信システム
【請求項３】
前記親機側には、前記画像信号を変換するビデオデコーダと、前記画像圧縮を行う画像圧縮部と、前記画像信号の送受信を無線通信手段により行う無線制御部と、前記画像信号処理の制御と前記無線制御部の制御を行うマイクロコンピュータと、前記通信信号の電界強度を検出する電界強度検出手段と、エラー情報検出手段とを備え、
前記サブ親機側に、前記画像伸張を行う画像伸張部と、前記画像信号の送受信を無線により行う無線制御部と、前記画像信号処理の制御と無線制御部の制御を行うマイクロコンピュータと、前記画像信号の電界強度を検出する電界強度検出手段とビット誤り率検出手段と、通信中の画像のフレームレートの速さを表示する表示手段とを備え、
前記親機と前記サブ親機間の通信状況を相互で観測し、それによって得られた前記電界強度検出手段と前記エラー情報検出手段又は前記ビット誤り率検出手段の検出結果に基づいて、前記親機側から前記サブ親機側に送信する前記ドアホン子機からの前記画像信号のフレームレートを適宜制御し、画像通信状態を前記フレームレートの速さにより表示することを特徴とする請求項１または２に記載の無線通信システム。
【請求項４】
前記無線通信での電界強度の変化の検知に応じて、前記親機側から前記サブ親機側に送信する前記ドアホン子機からの前記画像信号のフレームレートを適宜制御しながら、前記親機と前記サブ親機間の通信が途切れずに完了した時には、自動的に格納した前記画像データを前記画像信号メモリ手段から削除するように前記画像信号メモリ手段を制御するメモリ制御手段を備えることを特徴とする請求項１または２に記載の無線通信システム。
【請求項５】
前記サブ親機側に保留ボタンを付加し、通信中の前記画像信号のフレームレートの速さを表示する表示手段の表示により、前記親機とサブ親機相互間の無線通信状況が芳しくない場合に、前記保留ボタンを押下することで、前記親機とサブ親機相互間の無線通信を一時的に遮断することを特徴とする請求項３または４に記載の無線通信システム。
【請求項６】
前記サブ親機側に前記保留ボタンを押下したときに、玄関子機には音声または音楽により保留中であることを来訪者側に知らしめることを特徴とする請求項５に記載の無線通信システム。
【請求項７】
前記親機と前記サブ親機相互間の無線通信が何らかの理由で途切れた時に、前記親機側において自動的に玄関子機に保留音が流れるように制御することをあらかじめ設定しておくことを選択できることを特徴とする請求項５に記載の無線通信システム。
【発明の詳細な説明】
【技術分野】
【０００１】
本発明は、無線通信システムに関し、特に無線により音声及び画像信号の通信を行う無線テレビドアホンシステムなどに使用する無線通信システムに関するものである。
【背景技術】
【０００２】
従来、一戸建てあるいはマンション等においては、ドアホンシステムが使用される。この種のドアホンシステムは、ドアホン子機とドアホン親機及びドアホンサブ親機からなる。
ドアホン親機は、屋内に取り付けられており、屋外に設置したカメラ付きのドアホン子機により来訪者を撮像した画像と受信した来訪者の音声を、画像をモニターで見ながら音声応答できる。ドアホンサブ親機は、屋内に取り付けられており、ドアホン親機と通信して画像をモニターで見ながら音声応答ができる。
【０００３】
また、ドアホン親機とドアホンサブ親機間の通信には、配線接続による有線ドアホンシステムと、無線を使用した無線ドアホンシステムが使用される。
【０００４】
ドアホン親機とサブ親機間の画像と音声を無線通信するシステムに関しては、下記の特許文献１が知られている。特許文献１に記載されているシステムは、図４にはその構成図を示すが、ドアホン親機とドアホンサブ親機間の通信を無線化することで、ドアホンサブ親機の設置時または増設時に配線工事必要ないシステムを提供する。
【０００５】
また、本出願人が提出した先の出願（特願２００５−１３１１０１号）には、テレビドアホンシステムの親機とサブ親機の間でＢｌｕｅｔｏｏｔｈ等を用いた無線通信を行う無線通信システムにおいて、親機とサブ親機相互間の無線通信での電界強度の変化を検知する電界強度変化検知手段とを備え、無線通信での電界強度の変化の検知に応じて、親機側からサブ親機側に送信するドアホン子機からの画像信号を親機側に備えられた画像信号メモリ手段に自動的に格納する無線通信システムが開示されている。
【特許文献１】特開２０００−２２４３１６号公報
【発明の開示】
【発明が解決しようとする課題】
【０００６】
しかしながら、従来のテレビドアホンに使用される無線ドアホンシステムおけるドアホン親機とドアホンサブ親機間の無線通信では、屋内の設置場所や電子レンジ等の電波干渉等により通信状態が悪化して、ドアホン親機とドアホンサブ親機間の転送レートの低下や、ノイズの影響により音声信号や画像信号の品質が低下するという問題があった。また、先の出願に開示された発明では、ドアホン子機からの画像信号を親機からサブ親機へ送信する際のフレームレートを制御することはできない。
【０００７】
本発明は、上述の問題点を解決するためになされたものであって、通信システム使用時において、ドアホン親機からドアホンサブ親機へ送信中の画像信号を送信側の機器において自動的にメモリに格納し、格納するデータの格納状態を制御して不要なデータを残さないようにして有限のメモリ容量の有効活用を図り、ドアホン親機とドアホンサブ親機間の通信状態の変化を自動的に検知して、通信状態が悪くなった場合には送信中の画像信号のフレームレートを適宜制御しながら通信状態の維持を図ることができる、例えば、屋内の無線ドアホンシステムに適用可能な無線通信システムを提供することを目的としている。
【０００８】
また、本発明は、ドアホン親機とドアホンサブ親機間の通信が遮断された場合においても、その時の来訪者画像内容について、来訪者が誰であったか、どんな行動をして行ったのかなどの防犯上の安全等を後から確認できるテレビドアホンに使用される屋内の無線通信システムを提供することを目的としている。
【課題を解決するための手段】
【０００９】
上記目的を達成する為に、本発明の無線通信システムは、テレビドアホンシステムの親機とサブ親機の間で無線通信を行う無線通信システムにおいて、前記親機側に、画像信号のデジタル変換および画像圧縮を行う親機画像処理部と、前記画像信号を一時格納する画像信号メモリ手段と、前記親機と前記サブ親機相互間の無線通信での電界強度の変化を検知する電界強度変化検知手段とを備え、前記サブ親機側に、画像伸張を行うサブ親機画像処理部を備え、前記親機側に、ドアホン子機からの前記画像信号を前記サブ親機側に送信する際のフレームレートを制御する画像転送速度制御手段を備え、前記親機側において、前記無線通信での電界強度の変化の検知に応じて、前記画像信号の前記フレームレートを適宜制御しながら、前記親機側から前記サブ親機側に送信する前記ドアホン子機からの前記画像信号を、前記親機側の前記画像信号メモリ手段に自動的に格納することを特徴とする。
【００１０】
本発明の無線通信システムは、好ましくは前記親機と前記サブ親機の間では、２．４ＧＨｚ帯域の電波を用いた周波数ホッピング・スペクトル拡散方式の無線伝送技術（Ｂｌｕｅｔｏｏｔｈ（登録商標））により無線通信を行うことを特徴とする。この場合には、通常使用されている帯域の無線伝送方式を使用することができる。
【００１１】
また、本発明の無線通信システムは、好ましくは前記親機側には、前記画像信号を変換するビデオデコーダと、前記画像圧縮を行う画像圧縮部と、前記画像信号の送受信を無線通信手段により行う無線制御部と、前記画像信号処理の制御と前記無線制御部の制御を行うマイクロコンピュータと、前記通信信号の電界強度を検出する電界強度検出手段と、エラー情報検出手段とを備え、前記サブ親機側に、前記画像伸張を行う画像伸張部と、前記画像信号の送受信を無線により行う無線制御部と、前記画像信号処理の制御と無線制御部の制御を行うマイクロコンピュータと、前記画像信号の電界強度を検出する電界強度検出手段とビット誤り率検出手段と、通信中の画像のフレームレートの速さを表示する表示手段とを備え、前記親機と前記サブ親機間の通信状況を相互で観測し、それによって得られた前記電界強度検出手段と前記エラー情報検出手段又は前記ビット誤り率検出手段の検出結果に基づいて、前記親機側から前記サブ親機側に送信する前記ドアホン子機からの前記画像信号のフレームレートを適宜制御し、画像通信状態を前記フレームレートの速さにより表示することを特徴とする。この場合には、画像通信状態を前記フレームレートの速さにより表示できるので、使用者が画像通信状態を目で見て確認できる。
【００１２】
また、本発明の無線通信システムは、好ましくは前記無線通信での電界強度の変化の検知に応じて、前記親機側から前記サブ親機側に送信する前記ドアホン子機からの前記画像信号のフレームレートを適宜制御しながら、前記親機と前記サブ親機間の通信が途切れずに完了した時には、自動的に格納した前記画像データを前記画像信号メモリ手段から削除するように前記画像信号メモリ手段を制御するメモリ制御手段を備えることを特徴とする。
この場合には、不要なデータが画像信号メモリ手段に蓄積されていくことを防げる。
【００１３】
また、本発明の無線通信システムは、好ましくは前記サブ親機側に保留ボタンを付加し、通信中の前記画像信号のフレームレートの速さを表示する表示手段の表示により、前記親機とサブ親機相互間の無線通信状況が芳しくない場合に、前記保留ボタンを押下することで、前記親機とサブ親機相互間の無線通信を一時的に遮断することを特徴とする。この場合には、無線通信状況が芳しくないと無線通信を一時的に遮断して、その間に使用者が親機のところまで移動したり、通信状態の良い場所にサブ親機を移動させたりして、来訪者の映像を良好な状態で確認しながら通話を再開させることができる。
【００１４】
また、本発明の無線通信システムは、好ましくは前記サブ親機側に前記保留ボタンを押下したときに、玄関子機には音声または音楽により保留中であることを来訪者側に知らしめることを特徴とする。この場合には、保留ボタンを押下し保留制御手段により親機とドアホン子機間の通話が保留状態になったときに、音声または音楽により保留中であることを来訪者側に知らしめることができ、来訪者は会話を一時中断し、更に、保留ボタン押下によりドアホン子機との通話を再開させたときに、来訪者が中断時の会話から通話を再開させることができるため、通話を円滑に再開させることができる。
【００１５】
また、本発明の無線通信システムは、好ましくは前記親機と前記サブ親機相互間の無線通信が何らかの理由で途切れた時に、前記親機側において自動的に玄関子機に保留音が流れるように制御することをあらかじめ設定しておくことを選択できることを特徴とする。この場合には、親機とサブ親機間の通信が前触れも無く途切れたときに、来訪者は状況がわからずに通話を継続しつづけようとするため、保留音により通話が一時途切れていることを来訪者に知らしめることができる。
【発明の効果】
【００１６】
本発明に係る無線通信システムによると、通信システム設置時や使用時において、ドアホン親機とドアホンサブ親機間の通信状態の変化を自動的に検知して、通信状態が悪くなった場合に、通信中の画像信号を送信側の機器において自動的にメモリに格納し、通信状態が途絶え通話が遮断された際の画像信号を後から確認することができる例えばテレビドアホンに使用される屋内の無線ドアホンシステムに適用可能である。
【発明を実施するための最良の形態】
【００１７】
本発明の無線通信システムは、ドアホン親機とドアホンサブ親機間の通信に無線通信方式の一例であるＢｌｕｅｔｏｏｔｈ（登録商標）を用い、無線通信状態が悪いことを使用者に知らせて、通信システムの通信環境状況を確認することが可能となり、常に良好な環境下で通信システムを保持することができる。
【００１８】
このＢｌｕｅｔｏｏｔｈは、免許なしで自由に使用できる２．４ＧＨｚ帯域の電波を用い、周波数ホッピング・スペクトル拡散方式の無線伝送技術であり、例えばスペック１．０での最大伝送速度は１Ｍｂｐｓである。
【００１９】
しかも本発明の無線通信システムは、画像信号の劣化を最小限に抑え、できるだけ画像信号の伝送を維持するようにするとともに、何らかの原因により通信が途絶えて画像信号の伝送が維持できなくなった際に、送信しようとしていた画像信号を自動的にメモリ装置に格納して、後からその画像を確実に確認することで、来訪者の確認や防犯上の安全確認を行うことができることを特徴とするものである。本発明の無線通信システムは、好ましくは無線テレビドアホンシステムとして使用することができる。
以下、図面に基づいて本発明の実施形態について説明する。
【実施例１】
【００２０】
図１は本発明の無線通信システムの実施例１である無線テレビドアホンシステムを示している。図１の無線テレビドアホンシステムは、概略的には親機４０とサブ親機４１を有している。親機４０においては、４２は親機ビデオデコーダ、４３は親機画像圧縮部、４４は親機画像圧縮処理用メモリ、４５は親機画像圧縮方法選択部、４６は親機マイコン、４７は親機送信用信号処理部、４８は親機受信用信号処理部、４９は親機送信部、５０は親機受信部、５１は親機送受信切り替えスイッチ、５２は親機エラー情報検出部、５３は親機無線制御部、５４は親機アンテナ、３７は表示部、１８は電界強度検出部、そして６９は電界強度変化検知部である。
【００２１】
一方、サブ親機４１においては、５５はサブ親機画像伸張部、５６はサブ親機画像伸張処理用メモリ、５７はサブ親機画像伸張方法選択部、５８はサブ親機マイコン、５９はサブ親機送信用信号処理部、６０はサブ親機受信用信号処理部、６１はサブ親機送信部、６２はサブ親機受信部、６３はサブ親機送受信切り替えスイッチ、６４はサブ親機電界強度検出部、６５はサブ親機ビット誤り率検出部、６６はサブ親機無線制御部、６７はサブ親機アンテナ、３８はサブ親機表示部、そして７３は電界強度変化検知部である。
親機無線制御部５３とサブ親機無線制御部６６は、ともにＢｌｕｅｔｏｏｔｈベースバンドチップを採用するのが好ましい。
【００２２】
親機４０は、ドアホン子機（図示を省略）からのＮＴＳＣ（National Television Standards Committee）信号などの画像信号を受けて、親機４０は画像信号をサブ親機４１に送信するが、親機４０とサブ親機４１間の通信にはＢｌｕｅｔｏｏｔｈのＡＣＬ（Asynchronous Connection Oriented）リンクを使用する場合について、以下に説明する。
【００２３】
ドアホン子機からのＮＴＳＣ信号などの画像信号を、ドアホン子機画像入力として親機ビデオデコーダ４２に入力し、この画像信号は親機ビデオデコーダ４２でＹＵＶ信号などの画像信号（デジタル信号）に変換される。
【００２４】
親機ビデオデコーダ４２で変換された画像信号は、ＬＣＤ（Liquid Crystal Display）などのモニター（図示省略）に出力されるとともに、親機画像圧縮部４３へ送られる。親機画像圧縮部４３へ送られた画像信号は、親機画像圧縮処理用メモリ４４を使用して、画像信号を圧縮する。この圧縮の際の画像圧縮方法としては、ＪＰＥＧ（Joint Photographic Experts Group）符号化方式や、ＭＰＥＧ−４（Moving Picture Experts Group Phase4）符号化方式を使用することが望ましい。
【００２５】
圧縮された画像信号は、親機マイコン（以下、マイコンはマイクロコンピュータの略称）４６のＩ／Ｏポートを使用して親機マイコン４６に取り込まれる。親機マイコン４６に取り込まれた画像信号は、ＵＡＲＴ（Universal Asynchronous Receiver Transmitter）などの論理的なインターフェースを介して、親機無線制御部５３内の親機送信用信号処理部４７に送られる。
【００２６】
親機送信用信号処理部４７では、画像信号に対して誤り検出符号が付加され、誤り検出符号が付加された画像信号は、暗号化処理とデータの白色化処理と誤り訂正符号化処理される。信号処理された画像信号は、親機送信部４９にて変調されて、親機送受信切り替えスイッチ５１を介して親機アンテナ５４から送信される。親機アンテナ５４から送信された信号は、サブ親機アンテナ６７で受信される。
【００２７】
サブ親機アンテナ６７で受信された信号は、サブ親機無線制御部６６内のサブ親機送受信切り替えスイッチ６３を介してサブ親機受信部６２に送られ、サブ親機受信部６２で受信され信号は復調される。復調された画像信号は、検出されたタイミングに従ってサンプリングされた後、サブ親機受信用信号処理部６０にて、誤り訂正、逆白色化、暗号解読、誤り検出の各機能に応じた処理を行う。サブ親機受信用信号処理部６０で信号処理された画像信号は、ＵＡＲＴなどの論理的なインターフェースを介してサブ親機マイコン５８へ取り込まれる。サブ親機マイコン５８に取り込まれた画像信号は、サブ親機画像伸張部５５へ送られる。
【００２８】
親機画像伸張部５５へ送られた画像信号は、サブ親機画像伸張処理用メモリ５６を使用して、画像信号を伸張する。画像伸張方法にはＪＰＥＧ符号化方式やＭＰＥＧ−４符号化方式が望ましい。伸張された画像信号は、ＬＣＤなどのモニター（図示省略）に出力される。
【００２９】
この際に、上述したように親機４０からサブ親機４１へ画像信号を送信した時、親機４０ではアンテナ５４及び親機送受信切り替えスイッチ５１を介して受信した信号の電界強度の検出を、親機電界強度検出部１８にて行う。電界強度のレベルはＲＳＳＩ（Received Signal Strength Indicator）値で表し、ＲＳＳＩ値を検出して、検出結果を親機マイコン４６へ送る。
【００３０】
また、サブ親機４１では、アンテナ６７及びサブ親機送受信切り替えスイッチ６３を介して受信した信号の電界強度の検出を、サブ親機電界強度検出部６４にて行う。電界強度のレベルはＲＳＳＩ値で表し、このＲＳＳＩ値を検出して検出結果をサブ親機マイコン５８へ送る。このように、親機４０とサブ親機４１の相互の機器において、ＲＳＳＩ値を観測して、親機４０とサブ親機４１においてそれぞれ適宜必要な制御を行う。
【００３１】
一方、親機４０からサブ親機４１へ画像信号を送信した時に、サブ親機アンテナ６７及びサブ親機送受信切り替えスイッチ６３を介して受信した信号のビット誤り率の検出は、受信部６２と受信用信号処理部６０を通じてサブ親機ビット誤り率検出部６５にて行われる。ビット誤り率の検出は、ＣＲＣ（Cyclic Redundancy Check）のデータを検出して、その検出結果をサブ親機マイコン５８へ送る。
【００３２】
さらに、サブ親機マイコン５７の制御により、表示部３８のＬＣＤ（液晶表示装置）などのモニターには、親機４０とサブ親機４１間の通信状態が良好な場合は、そのときのフレームレート値が表示される。また、通信状態にないか若しくは通信が維持できない場合は、例えば表示部３８のモニターに画像が送信されておらずモニターは無画像のため消灯状態に制御される。
【００３３】
このように表示部３８の表示により、使用者に対して、無線ドアホンシステムが動作中（通信可能若しくは通信中である）又は、通信環境の異常若しくは故障等で機器が動作状態に無いことを、目で見える形で知らせることができ、使用者に動作状況の判断をしやすくさせることができる。
【００３４】
図２には、サブ親機マイコン５８の制御によりフレームレートの制御動作である電界強度検出と、ビット誤り率検出及び表示制御のフローチャートを示す。
図２のフローチャートは、まず、ステップＳ１では親機４０からサブ親機４１へ送信された信号の電界強度とビット誤り率を検出する。ステップ２では親機４０とサブ親機４１間の通信状態が維持できているかを判別し、通信状態が維持できている場合は動作状態としてステップ３において表示部３８を用いてそのときのフレームレート値を表示させる。
【００３５】
このときの表示内容は、たとえばモニターの右隅にフレームレート値を数値で表す。また、数値ではなく、より通信状況が一目でわかるように「良」「強」「弱」等の文字であったり、○、×等の記号であったり、絵文字のようなものであってもよい。ステップ２で通信状態でない場合は、ステップ１１で表示部３８に画像が伝送されていないため表示部３８を消灯状態とし制御フローを終了する。
【００３６】
ステップＳ４では、検出した電界強度及びビット誤り率が予め設定した閾値より低レベル以下か否かを判別する。ステップＳ４において電界強度が閾値より低レベル以下であれば、通信状態が芳しくないと判断して、ステップＳ５において親機画像信号メモリ部６８で画像記録を開始する。
【００３７】
また、ステップＳ４で検出した電界強度及びビット誤り率が予め設定した閾値より高レベルであれば、通信状態が良好であると判断して、ステップＳ６で親機画像信号メモリ部６８での自動画像記録を終了して、通信を継続して観測するためにステップＳ１に戻る。
このとき、通信状態が良好なためフレームレートは最大値となっている。
【００３８】
ステップＳ４において通信状態が芳しくなく、親機画像圧縮メモリ部６８で画像記録を開始した後に、ステップＳ７においてビット誤り率を基準値と比較して、ビット誤り率が基準値以下の場合は、ステップＳ８においてフレームレートダウンを実施して送信データ量を小さくして通信エラーの発生をできるだけ減らし通信の維持を図る。
【００３９】
一方、ビット誤り率が基準値以上の場合は、ステップＳ９において良好な画像送信を実現するためにフレームレートアップを実施し、スムーズな動画送信を行うよう制御する。
次に、ステップＳ１０において、その時点のビット誤り率の測定値をビット誤り率基準値に置き換えて、次の観測結果との比較の基準とする。
【００４０】
このようにして、ビット誤り率の観測値の推移によりフレームレートを適宜制御して、通信状態の維持を図りながら、できるだけ良好な動画の伝送を行うように制御される。
また、図１の親機４０において親機画像信号メモリ部６８に通信データを格納した際に、親機４０とサブ親機４１間の通信が正常に終了し、即ちサブ親機４１側での通信の終了操作がなされた場合に、マイコン４６は親機画像信号メモリ部６８に格納されたデータを削除するように制御する。これにより、有限のデータ格納容量値である親機画像信号メモリ部６８に通話が完了した不必要な映像データを格納することで、親機画像信号メモリ部６８におけるデータ格納残量の低下を招くことを防ぐことができる。
【実施例２】
【００４１】
図３に基づいて、本発明の実施例２について説明する。
図３の実施例２は、図１の実施例１に対して次の要素を追加している。親機４０には親機保留ボタン７１を付加し、サブ親機４１にはサブ親機保留ボタン７２を付加している。通信中の画像のフレームレートの速さを表示するサブ親機表示部３８のフレームレート表示により、親機４０とサブ親機４１相互間の無線通信状況が芳しくない場合には、サブ親機保留ボタン７２を押下することで、親機４０とサブ親機４１相互間の無線通信を一時的に遮断するように、親機マイコン４６が親機４０とサブ親機４１間の通信を制御する。
【００４２】
これにより、親機４０とサブ親機４１相互間の無線通信を一時的に遮断することができ、その間に、使用者が親機４０のところまで移動したり、通信状態の良い場所にサブ親機４１を移動させたりして、来訪者の映像を良好な状態で確認しながら通話を再開させることができる。
【００４３】
このとき、親機マイコン４６は保留状態に入ったことを確認したときに、音声データメモリ７５から音声データを玄関子機（玄関に設置されたドアホン子機、図示を省略）に対して音声信号処理部７４を介して送信して、来訪者に戸内側において通信が保留状態にあることを通知する。これにより、来訪者は会話を一時中断し、更に親機保留ボタン７１又はサブ親機保留ボタン７２の押下により、ドアホン子機との通話を再開させたときに、来訪者が中断時の会話から通話を再開させることができるため、通話を円滑に再開させることができる。
【００４４】
更には、親機４０の保留設定スイッチ７０を押すことにより、エラー情報検出部５２からの信号により、親機４０とサブ親機４１相互間の無線通信が何らかの理由で途切れた時には、親機マイコン４６が音声データメモリ７５から音声データを玄関子機に自動的に送信制御することをあらかじめ設定しておくことができる。これにより、親機４０とサブ親機４１間の通信が前触れも無く途切れたときに、来訪者は状況がわからずに通話を継続しつづけようとするため、保留音により通話が一時途切れていることを来訪者に知らしめることができる。
【００４５】
本発明の実施例２では、無線伝送方式として好ましくはＢｌｕｅｔｏｏｔｈを用い、ＢｌｕｅｔｏｏｔｈのＡＣＬリンクを使用した画像信号の通信において、親機４０からの送信信号をサブ親機４１で受信する事で、電界強度レベルを検出し、且つビット誤り率を検出することができる。
【００４６】
親機４０とサブ親機４１間の通信状態が悪化した場合に、電界強度レベルとビット誤り率を検出する事で、画像信号を転送する際の画像のフレームレートを制御することで転送するデータ量を制御し、通信状態の悪化により転送レートが落ちた場合でも、転送する画像のフレームレートを落とし、転送するデータ量を少なくして、画像信号の劣化を抑えながら通信の状態をスムーズにすることができる。
【００４７】
さらに、通信状態をフレームレート値として表示部で表示することにより、使用者に無線ドアホンシステムが動作中（通信可能若しくは通信中である）又は、通信環境の異常若しくは故障等で機器が動作状態に無いことを目で見える形で知らせて、使用者に対してドアホンの動作状況の判断を容易にさせることができる。
【００４８】
また、図１においてドアホン子機からの来訪者に対する応対を、親機４０を介してサブ親機４１で行うような親機４０とサブ親機４１間の通信中において、通信環境の変化による親機電界強度検出部１８からの電界強度レベル出力の変動を、親機電界強度変化検知部６９が検知する。その検知結果は親機マイコン４６に通知し、親機マイコン４６が通信状態が芳しくないと判断した際に、フレームレートを制御して伝送データ量を減らすとともに、サブ親機４１側に送信する画像信号データを親機画像信号メモリ部６８にいったん格納するように、親機マイコン４６は親機画像信号メモリ部６８を制御する。
【００４９】
これにより、通信状態の維持を図りながら、親機４０側に来訪者の画像が記録されていることになる。また、何らかの原因で来訪者との通話が途絶えている場合においても親機４０側に来訪者の画像が記録されていることになる。
【００５０】
来訪者は室内親機サブ親機間の通信が途絶えていることが判らないために室内側の親機４０若しくはサブ親機４１からの応答が無いために不在と考えて音声での伝言等を残すことなく立ち去ることになる。機器使用者は親機４０側に移動した際に親機４０にて来訪者が来ていたことを後で映像により確認することができる。
【００５１】
また、親機４０とサブ親機４１間の通信環境が復帰した後に、サブ親機４１から来訪者が来ていたことを映像で確認することができる。また、親機４０とサブ親機４１間で通話している場合においても、同様に後から通信が途絶えた期間の映像を確認することができる。これにより、音声での伝言等の情報が無い場合においても、来訪者が誰であるかを確認でき、防犯上の安全を確認することができる。
【図面の簡単な説明】
【００５２】
【図１】図１は、本発明の無線ドアホンシステムの実施例１を示す構成図である。
【図２】図２は、本発明の無線ドアホンシステムの実施例１の画像通信におけるサブ親機側の量子化テーブル選択手段及び表示制御を示すフローチャートである。
【図３】図３は、本発明の無線ドアホンシステムの実施例２を示すシステム構成例の図である。
【図４】図４は、従来のテレビドアホンシステムの構成例の図である。
【符号の説明】
【００５３】
１８    電界強度検出部（電界強度検出手段）
３７    親機表示部（表示手段）
３８    サブ親機表示部（表示手段）
４０    親機
４１    サブ親機
４２    親機ビデオデコーダ（親機画像処理部）
４３    親機画像圧縮部（親機画像処理部）
４４    親機画像圧縮処理用メモリ
４５    親機画像圧縮方法選択部
４６    親機マイコン（画像転送速度制御手段）
４７    親機送信用信号処理部
４８    親機受信用信号処理部
４９    親機送信部
５０    親機受信部
５１    親機送受信切り替えスイッチ
５２    親機エラー情報検出部（エラー情報検出手段）
５３    親機無線制御部
５４    親機アンテナ
５５    サブ親機画像伸張部（サブ親機画像処理部）
５６    サブ親機画像伸張処理用メモリ（サブ親機画像処理部）
５７    サブ親機画像伸張方法選択部（サブ親機画像処理部）
５８    サブ親機マイコン
５９    サブ親機送信用信号処理部
６０    サブ親機受信用信号処理部
６１    サブ親機送信部
６２    サブ親機受信部
６３    サブ親機送受信切り替えスイッチ
６４    サブ親機電界強度検出部（電界強度検出手段）
６５    サブ親機ビット誤り率検出部（ビット誤り率検出手段）
６６    サブ親機無線制御部
６７    サブ親機アンテナ
６８    親機画像信号メモリ部（画像信号メモリ手段）
６９    親機電界強度変化検知部（電界強度変化検知手段）
７０    保留設定スイッチ
７１    親機保留ボタン
７２    サブ親機保留ボタン
７３    サブ親機電界強度変化検知部
７４    音声出力処理部
７５    音声データメモリ
【図１】
2007142808.tif 000003
【図２】
2007142808.tif 000004
【図３】
2007142808.tif 000005
【図４】
2007142808.tif 000006